(57)【要約】【課題】調理用具等の表面に付着している汚れを効果的に除去し得る汚れ落し具を提供する。【解決手段】手で押圧したときに容易に変形しない台（１１）に凸面（１３）を備えさせ、該凸面（１３）に汚れ落し層（１５）を取り付けたことを特徴とする汚れ落し具。汚れ落し層（１５）は前記台（１１）に対し着脱自在である。手で押圧したときに容易に変形しない台における凸面に汚れ落し層を取り付けたため、汚れ落し層における凸状態に維持された狭い部分のみが調理用具等の表面に押圧され、擦り付けられる。即ち、使用者の手の力は、汚れ落し層における凸状態に維持された狭い部分に局部的に集中するため、調理用具等の表面に付着していた汚れは効果的に除去される。【選択図】図１
2005218615.tif 000002
【特許請求の範囲】
【請求項１】
手で押圧したときに容易に変形しない台に凸面を備えさせ、該凸面に汚れ落し層を取り付けたことを特徴とする汚れ落し具。
【請求項２】
前記汚れ落し層は前記台に対し着脱自在であることを特徴とする請求項１に記載の汚れ落し具。
【発明の詳細な説明】
【技術分野】
【０００１】
本発明は、汚れ落し具に関するものであり、例えば鍋、釜、魚焼き網等の調理用具等に付着した焦げ等の汚れを除去するための汚れ落し具に係るものである。
【背景技術】
【０００２】
図７は、従来より使用されている汚れ落し具１を示す。この汚れ落し具１は、ナイロン等の不織布に研磨材の粒子を付着させてなるものである。
【０００３】
図８は、従来より使用されている別の汚れ落し具３を示す。この汚れ落し具３は、ナイロン等の不織布に研磨材の粒子を付着させてなる汚れ落し層５を平板状の台７における一平面に取り付けてなるものである。
【０００４】
実開平７−９２４７号公報は、織布層又は不織布層を平板状のスポンジにおける一平面に取り付けてなる汚れ落し具を開示している。
【特許文献１】実開平７−９２４７号公報
【発明の開示】
【発明が解決しようとする課題】
【０００５】
上記従来の汚れ落し具は、汚れ落し層のみからなり、又は汚れ落し層を平板状の台若しくはスポンジにおける一平面に取り付けてなるものであるため、これを手に持って調理用具等の表面に擦り付けても、汚れ落し層の広い面が調理用具等の表面に同時に接触する。従って、力が広い面に分散し、調理用具等の表面に付着している汚れが落ちにくいという問題がある。
【０００６】
本発明は、上記従来の汚れ落し具における上述の如き問題を解決し、調理用具等の表面に付着している汚れを効果的に除去し得る汚れ落し具を提供しようとしてなされたものである。
【課題を解決するための手段】
【０００７】
上記課題を解決するために、本発明は下記の汚れ落し具を提供する。
【０００８】
（１）手で押圧したときに容易に変形しない台に凸面を備えさせ、該凸面に汚れ落し層を取り付けたことを特徴とする汚れ落し具（請求項１）。
【０００９】
（２）前記汚れ落し層は前記台に対し着脱自在である（請求項２）。
【００１０】
［発明の作用］
［請求項１の発明］
台の凸面に取り付けられた汚れ落し層は、常時、台の凸面と同様に凸状態にある。汚れ落し具を使用する際には、使用者は台を手に持って台の凸面に取り付けられた汚れ落し層を調理用具等の表面に押圧し、擦り付ける。このとき、台は手で押圧しても容易に変形しないため、台の凸面も変形することなく凸状態を維持する。従って、汚れ落し層は台の凸面と同様に凸状態を維持する。換言すれば、汚れ落し層における凸状態に維持された狭い部分のみが調理用具等の表面に押圧され、擦り付けられる。その結果、使用者の手の力は、汚れ落し層における凸状態に維持された狭い部分に局部的に集中するため、調理用具等の表面に付着していた汚れは効果的に除去される。
【００１１】
台は、手で押圧したときに容易に変形しないものであるため、力が入り易いと共に手を保護する。
【００１２】
［請求項２の発明］
汚れ落し層は台に対し着脱自在であるため、汚れ落し層の洗浄に好都合であると共に汚れ落し層の交換も可能である。
【発明の効果】
【００１３】
前述の如く、本発明によれば、手で押圧したときに容易に変形しない台における凸面に汚れ落し層を取り付けたため、汚れ落し層における凸状態に維持された狭い部分のみが調理用具等の表面に押圧され、擦り付けられる。その結果、使用者の手の力は、汚れ落し層における凸状態に維持された狭い部分に局部的に集中するため、調理用具等の表面に付着していた汚れは効果的に除去される。
【発明を実施するための最良の形態】
【００１４】
符号１１に示すものは硬い材料により形成された台である。台１１は、使用者が手で押圧したときに容易に変形しない合成樹脂、木材等の硬質材料により形成する。
【００１５】
台１１には凸面１３を備えさせ、台１１における凸面１３に汚れ落し層１５を取り付ける。汚れ落し層１５は、一例として、ナイロン、ポリエステル等の不織布に研磨材の粒子を付着させてなるものとするが、研磨材の粒子を備えていないものであっても差し支えない。
【００１６】
図１、図２に示す事例においては、台１１ａは二つの凸面１３ａを備えている。これらの凸面１３ａは直方体状の台１１ａにおける隣り合う二つの角部をそれぞれ略円弧状の曲面に形成してなるものである。台１１ａにおける凸面１３ａに取り付けられた汚れ落し層１５ａは、台１１ａの凸面１３ａに対応する略円弧状の凸面１７ａを有し、図２に示すように、汚れ落し層１５ａの当該略円弧状の凸面１７ａが調理用具等１９の表面に押圧され、擦り付けられる。
【００１７】
図３に示す事例においては、台１１ｂは略半円板状をなしており、略円弧状の凸面１３ｂを備えている。台１１ｂにおける略円弧状の凸面１３ｂに取り付けられた汚れ落し層１５ｂは、台１１ｂの凸面１３ｂに対応する略円弧状の凸面１７ｂを有し、汚れ落し層１５ｂの当該略円弧状の凸面１７ｂが調理用具等の表面に押圧され、擦り付けられる。
【００１８】
図４に示す事例においては、台１１ｃは略楕円板状をなしており、略楕円状の凸面１３ｃを備えている。台１１ｃにおける略楕円状の凸面１３ｃに取り付けられた汚れ落し層１５ｃは、台１１ｃの凸面１３ｃに対応する略楕円状の凸面１７ｃを有し、汚れ落し層１５ｃの当該略楕円状の凸面１７ｃが調理用具等の表面に押圧され、擦り付けられる。
【００１９】
図５に示す事例においては、台１１ｄは略六角形板状をなしており、略三角形状の凸面１３ｄを備えている。台１１ｄにおける略三角形状の凸面１３ｄに取り付けられた汚れ落し層１５ｄは、台１１ｄの凸面１３ｄに対応する略三角形状の凸面１７ｄを有し、汚れ落し層１５ｄの当該略三角形状の凸面１７ｄが調理用具等の表面に押圧され、擦り付けられる。
【００２０】
汚れ落し層１５は、好ましくは、台１１に対し着脱自在である。即ち、一例として、図６に示すように、台１１の表面に面ファスナー２１のフック部材２３を取り付け、汚れ落し層１５の対応面に面ファスナー２１のループ部材２５を取り付け、フック部材２３をループ部材２５に対し係脱自在とすることにより、汚れ落し層１５を台１１に対し着脱自在とする。
【図面の簡単な説明】
【００２１】
【図１】本発明による汚れ落し具の一例を示す斜視図である。
【図２】同上汚れ落し具の使用状態を示す側面図である。
【図３】本発明による汚れ落し具の別の一例を示す側面図である。
【図４】本発明による汚れ落し具の更に別の一例を示す側面図である。
【図５】本発明による汚れ落し具の更に別の一例を示す側面図である。
【図６】汚れ落し層を台に対し着脱自在とした一例を示す断面図である。
【図７】従来の汚れ落し具を示す斜視図である。
【図８】従来の別の汚れ落し具を示す斜視図である。
【符号の説明】
【００２２】
１  従来の汚れ落し具
３  従来の汚れ落し具
５  汚れ落し層
７  台
１１  台
１１ａ  台
１１ｂ  台
１１ｃ  台
１１ｄ  台
１３  凸面
１３ａ  凸面
１３ｂ  凸面
１３ｃ  凸面
１３ｄ  凸面
１５  汚れ落し層
１５ａ  汚れ落し層
１５ｂ  汚れ落し層
１５ｃ  汚れ落し層
１５ｄ  汚れ落し層
１７  凸面
１７ａ  凸面
１７ｂ  凸面
１７ｃ  凸面
１７ｄ  凸面
１９  調理用具
２１  面ファスナー
２３  フック部材
２５  ループ部材
【図１】
2005218615.tif 000003
【図２】
2005218615.tif 000004
【図３】
2005218615.tif 000005
【図４】
2005218615.tif 000006
【図５】
2005218615.tif 000007
【図６】
2005218615.tif 000008
【図７】
2005218615.tif 000009
【図８】
2005218615.tif 000010